(57)【要約】本発明はネットワーク基盤の情報技術ソリューション開発管理システム及びその方法に関する。本発明の一実施例によるシステム及び方法において、サーバーコンピューターで事業者の情報技術ソリューション開発要請に応えてアナリスト情報を事業者コンピューターに提供して契約できるようにし、事業者からソリューション開発による要求事項を受けたアナリストがソリューション開発のための企画、要求分析及び設計を実行した後、各単位プログラムの発注を処理し、それぞれの単位プログラムを受注した開発者が開発した単位プログラムをテストして納品完了または返却処理を実行すれば、納品完了した開発者の口座情報及び支給情報を金融機関コンピューターに提供して開発費用の支給を処理し、各開発者が開発したプロジェクト別単位プログラムの統合テストを実行した後、最終納品処理を実行する。
2009534736.tif 000002
【特許請求の範囲】
【請求項１】
情報技術ソリューション開発のためのプロジェクトの内訳をプロジェクトメントールと相談し、参加可能なアナリスト情報を確認した後、特定のアナリストと契約し、ソリューション開発に必要な各種要求事項をアナリストに提示して企画及び開発を進めるようにし、ソリューション開発完了時まで一定の段階ごとに進行資金の預置を行う事業者コンピューターと；
事業者が要請した特定情報技術ソリューションの開発のための企画、要求分析、単位プログラム別発注、納品管理、開発コスト支給依頼、統合テスト、完了報告書及び産出物の納品処理を制御し、事業者コンピューターの要請に応えて現在進行中のソリューション開発状況についての情報を事業者コンピューターに提供するアナリストコンピューターと；
アナリストによって企画されたソリューション開発に必要な各種単位プログラム情報を確認した後、所望の単位プログラムの開発に参加し、開発完了した単位プログラムのテスト及び納品を処理する開発者コンピューターと；
情報技術ソリューションの企画及び単位プログラム開発を行う多数のアナリスト及び開発者の審査及び会員加入を処理し、前記プロジェクトメントールによって登録されたプロジェクトの内訳に基づいて参加可能なアナリスト情報を抽出して事業者コンピューターに提供し、アナリストコンピューター及び開発者コンピューターと特定情報技術ソリューションの開発のための企画、要求分析、単位プログラム別発注、単位プログラム別テスト及び納品管理、開発コスト支給依頼、統合テスト、完了報告書及び産出物の納品処理のためのデータの入出力を統合管理するサーバーコンピューターと；
ソリューション開発進行の一定の段階ごとに事業者から提供される資金を預置し、サーバーコンピューターの要請に応えて事業者が預置した資金をアナリスト及び開発者の口座に支給処理する金融機関コンピューターと；を含むことを特徴とする、ネットワーク基盤の情報技術ソリューション開発管理システム。
【請求項２】
前記サーバーコンピューターは、
前記プロジェクトメントールから入力される情報技術開発のためのプロジェクトの内訳を掲示板に登録し、登録されたプロジェクトの内訳による企画、要求分析及び設計を実行することができるアナリストを選別して該当のアナリスト情報を前記事業者コンピューターに提供するプロジェクト登録部；
事業者と契約を行った特定のアナリストがソリューション開発のための企画、要求分析及び設計を実行するために必要な書式及びシステム環境を支援するプロジェクト管理部；
前記プロジェクト管理部によって作られた詳細設計によって優先順位を決めて段階別に単位プログラムを発注掲示板上に掲示し、単位プログラムを受注した開発者の各種の質問事項に対する処理を実行し、単位プログラムの返却を実行し、開発者の懲戒処理を行う発注管理部；
前記単位プログラムを受注した開発者がソースをテストすることができる環境を提供し、テストを完了した開発者のプログラム納品依頼によって該当の単位プログラムをテストして納品完了または返却処理を実行し、前記プロジェクト管理手段によって作られた詳細設計によって構築されたシステム環境を通じてプロジェクト別に統合テストを行ってプロジェクトの最終納品処理を処理する納品管理部；
前記プロジェクト管理部によって作られた詳細設計によって一定段階別に事業者が開発費用を預置するように処理し、前記納品管理部によって各開発者の単位プログラム納品が終了すれば、それぞれのアナリスト及び開発者の口座情報及び支給情報を前記金融機関コンピューターに提供して開発費用の支給を処理し、プロジェクト別執行内訳情報、それぞれのアナリスト及び開発者の支給内訳情報の格納及び照会を処理する資金管理部；
会員として登録されたそれぞれのアナリスト及び開発者の基本情報、プロジェクト実行履歴情報、等級情報をそれぞれのアナリスト及び開発者の業務及び技術別に区分して管理し、前記納品管理部によるプロジェクト実行結果による評価データを等級に反映する会員管理部；及び
ネットワーク通信網を通じる前記事業者コンピューター、アナリストコンピューター、開発者コンピューターの通信接続とデータ入出力処理を実行し、前記各部の動作を制御する制御部；を含むことを特徴とする、請求項１に記載のネットワーク基盤の情報技術ソリューション開発管理システム。
【請求項３】
前記発注管理部を通じて発注されるそれぞれの単位プログラムは、
プログラム作成に必要なコーディング規則、システム環境、画面デザインなどの基本情報が一緒に提供され、難易度と種類によって単価が差別的に適用されて発注されることを特徴とする、請求項２に記載のネットワーク基盤の情報技術ソリューション開発管理システム。
【請求項４】
前記納品管理部の確認結果、開発者が納品した単位プログラムが一定回数を超えて反却される場合、該当の開発者の等級を下向きに調整することを特徴とする、請求項２に記載のネットワーク基盤の情報技術ソリューション開発管理システム。
【請求項５】
前記アナリストコンピューターは、現在進行中のソリューション開発に対する進行状況情報を一定の周期ごとに前記サーバーコンピューターを介して前記事業者コンピューターに提供することを特徴とする、請求項１に記載のネットワーク基盤の情報技術ソリューション開発管理システム。
【請求項６】
前記サーバーコンピューターは、前記事業者コンピューターから現在進行中のソリューション開発に対する各種の質問事項が要請されれば、該当の質問事項に対する答弁データを前記アナリストコンピューターまたは指定の答弁者から受けて前記事業者コンピューターに提供することを特徴とする、請求項１に記載のネットワーク基盤の情報技術ソリューション開発管理システム。
【請求項７】
前記サーバーコンピューターは、会員加入が承認されたアナリスト及び開発者に等級を付与し、アナリストの特定ソリューション開発の企画及び管理による結果と、開発者の単位プログラム開発実行による結果を評価して等級調整を実行することを特徴とする、請求項１に記載のネットワーク基盤の情報技術ソリューション開発管理システム。
【請求項８】
（ａ）サーバーコンピューターでアナリストが提供する履歴及び経歴事項に基づいて経歴審査を行ってアナリスト資格を承認するとともに、開発者の等級テストを行って開発者資格を承認する段階と；
（ｂ）前記サーバーコンピューターで事業者の情報技術ソリューション開発要請に応えてアナリスト情報を事業者コンピューターに提供して契約を実行するようにし、契約を実行した事業者が金融機関に手付け金を預置してアナリストにソリューション開発による要求事項を提供する段階と；
（ｃ）前記サーバーコンピューターを介して事業者からソリューション開発による要求事項を受けたアナリストがソリューション開発のための企画、要求分析及び設計を実行し、サーバーコンピューターでアナリストの設計に従う各単位プログラムの発注を処理する段階と；
（ｄ）前記サーバーコンピューターでそれぞれの単位プログラムを受注した開発者が開発した単位プログラムをテストして納品完了または返却処理を実行し、納品が完了した開発者の口座情報及び支給情報を金融機関コンピューターに提供して開発費用の支給を制御する段階と；
（ｅ）前記サーバーコンピューターでアナリストの詳細設計にしたがって構築されたシステム環境を通じて各開発者が開発したプロジェクト別単位プログラムの統合テストを実行し、統合テストが完了すれば、該当のソリューションの最終納品処理を行う段階と；を含むことを特徴とする、ネットワーク基盤の情報技術ソリューション開発管理方法。
【請求項９】
前記（ａ）段階は、
（ａ−１）前記サーバーコンピューターで実名確認及び会員規定に同意したアナリストまたは開発者から会員登録要請があるかを判断する段階；
（ａ−２）アナリスト登録が要請されれば、前記サーバーコンピューターで該当のアナリストコンピューターに履歴情報と経歴情報の入力を要請する段階；
（ａ−３）前記サーバーコンピューターで前記アナリストコンピューターから入力される履歴情報と経歴情報に基づいて経歴審査を実行し、実行結果による承認通報を行う段階；
（ａ−４）前記サーバーコンピューターで承認されたアナリスト情報を会員管理部に登録する段階；
（ａ−５）開発者登録が要請されれば、前記サーバーコンピューターで該当の開発者コンピューターに開発環境の入力を要請する段階；
（ａ−６）前記サーバーコンピューターで開発環境を入力した開発者の等級設定のためのテストを実行し、テスト結果に基づいて等級を設定する段階；及び
（ａ−７）前記サーバーコンピューターで等級が設定された開発者情報を会員管理部に登録する段階；を含むことを特徴とする、請求項８に記載のネットワーク基盤の情報技術ソリューション開発管理方法。
【請求項１０】
前記（ｂ）段階は、
（ｂ−１）前記サーバーコンピューターで情報技術ソリューション開発計画を持った事業者と相談を実行し、該当の事業者が要請するプロジェクトの内訳を登録する段階；
（ｂ−２）前記サーバーコンピューターで前記事業者コンピューターから企画、設計に必要なアナリストが要請されるかを判断する段階；
（ｂ−３）アナリストが要請されれば、前記サーバーコンピューターでアナリスト情報を選別して前記事業者コンピューターに提供する段階；及び
（ｂ−４）前記サーバーコンピューターから提供されたアナリスト情報を確認した事業者が特定のアナリストと契約を実行した後、該当のアナリストにソリューション開発による要求事項を伝達し、金融機関に手付け金を預置する段階；を含むことを特徴とする、請求項８に記載のネットワーク基盤の情報技術ソリューション開発管理方法。
【請求項１１】
前記（ｂ−４）段階の後、事業者はアナリストの詳細設計によるソリューション開発に対する進行状況情報をアナリストから受け、
前記アナリストの要請に応えて開発費用を該当のソリューション開発完了時まで一定の段階ごとに分散して金融機関に預置することを特徴とする、請求項１０に記載のネットワーク基盤の情報技術ソリューション開発管理方法。
【請求項１２】
前記（ｃ）段階は、
（ｃ−１）アナリストが前記サーバーコンピューターに登録された事業者のソリューション開発による要求事項を分析する段階；
（ｃ−２）アナリストが分析された要求事項に基づいて段階別プロジェクトを企画して全体日程及びオンライン及びテストのための装備の調逹計画を設定する段階；
（ｃ−３）プロジェクト企画を実行したアナリストが要求分析及び設計のために単位プログラム別日程を樹立し、等級、単価を算定する段階；
（ｃ−４）アナリストが全体開発費用とハードウェア装備などのプロジェクト開発に必要な総開発コストを算定し、プロジェクト運営マニュアルを樹立し、プロジェクトの統合テストのための統合シナリオを作成する段階；及び
（ｃ−５）アナリストの企画、要求分析及び設計によって前記サーバーコンピューターでそれぞれの単位プログラムを作業指示書とともに登録して発注処理する段階；を含むことを特徴とする、請求項８に記載のネットワーク基盤の情報技術ソリューション開発管理方法。
【請求項１３】
前記（ｃ−５）段階で発注されるそれぞれの単位プログラムは、プログラム作成に必要なコーディング規則、システム環境、画面デザインなどの基本情報が一緒に提供され、難易度と種類によって単価が差別的に適用されることを特徴とする、請求項１２に記載のネットワーク基盤の情報技術ソリューション開発管理方法。
【請求項１４】
前記（ｄ）段階は、
（ｄ−１）開発者が前記サーバーコンピューターで登録したそれぞれの単位プログラムを確認し、所望の特定単位プログラムを受注して開発する段階；
（ｄ−２）開発者が受注した単位プログラムの開発が完了すれば、前記サーバーコンピューターに構築されたテスト環境に接続し、該当のプログラムのコンパイルを通じてテストを行う段階；
（ｄ−３）前記サーバーコンピューターで前記開発者コンピューターから単位プログラムの納品申し込みが実行されれば、納品された単位プログラムのソースコード点検及び実行テストを行う段階；
（ｄ−４）納品された単位プログラムのテストの結果、納品完了が承認されれば、前記サーバーコンピューターで該当の開発者の口座情報及び支給情報を金融機関コンピューターに提供して開発費用の支給を要請する段階；
（ｄ−５）前記金融機関コンピューターで前記サーバーコンピューターから入力された開発者の口座情報及び支給情報に基づいて開発費用の支給を処理し、支給内訳を前記サーバーコンピューターに提供する段階；及び
（ｄ−６）納品された単位プログラムのテストの結果、問題が発生して納品完了が承認されなければ、前記サーバーコンピューターで前記開発者コンピューターに返却処理して修正を要請する段階；を含むことを特徴とする、請求項８に記載のネットワーク基盤の情報技術ソリューション開発管理方法。
【請求項１５】
前記（ｄ−１）段階で、単位プログラムを受注して開発する開発者の各種の質問事項が要請されれば、前記サーバーコンピューターでは、該当の質問事項に対する答弁データを前記アナリストコンピューターまたは指定の答弁者から受けて前記開発者コンピューターに提供することを特徴とする、請求項１４に記載のネットワーク基盤の情報技術ソリューション開発管理方法。
【請求項１６】
開発者が納品した単位プログラムが一定回数を超えて反却されれば、前記サーバーコンピューターで該当の開発者の等級を下向きに調整することを特徴とする、請求項１４に記載のネットワーク基盤の情報技術ソリューション開発管理方法。
【請求項１７】
前記（ｅ）段階は、
（ｅ−１）前記サーバーコンピューターでアナリストの詳細設計にしたがって発注された各単位プログラムの開発が完全に終了したかを判断する段階；
（ｅ−２）各単位プログラムの開発が完全に終了すれば、前記サーバーコンピューターでアナリストの詳細設計にしたがって構築されたシステム環境を通じて各開発者が開発したプロジェクト別単位プログラムの統合テストを行う段階；
（ｅ−３）前記サーバーコンピューターでプロジェクト別統合テストの実行結果、エラーが発生するかまたは設計が変更されたかを判断する段階；
（ｅ−４）エラーの発生または設計変更があれば、前記サーバーコンピューターでアナリストの詳細設計にしたがってエラーが発生するか設計が変更された単位プログラムの再発注を行う段階；及び
（ｅ−５）エラー発生または設計変更がなければ、前記サーバーコンピューターでアナリストが作成したプロジェクト完了報告書と産出物を事業者に導いて最終納品処理を行う段階；を含む最終納品段階をさらに含むことを特徴とする、請求項８に記載のネットワーク基盤の情報技術ソリューション開発管理方法。
【発明の詳細な説明】
【発明の詳細な説明】
【０００１】
〔技術分野〕
本発明はネットワーク基盤の情報技術（Ｉｎｆｏｒｍａｔｉｏｎ  Ｔｅｃｈｎｏｌｏｇｙ）ソリューション開発管理システム及びその方法に係り、より詳しくは、開発人力を保有することができなかった事業者と開発技術を保有したアナリスト及び開発者を互いに連結して、各種の情報技術ソリューション開発を行うようにするネットワーク基盤の情報技術ソリューション開発管理システム及びその方法に関するものである。
【０００２】
〔背景技術〕
一般に、インターネット（Ｉｎｔｅｒｎｅｔ）は全世界のどこででも、誰でも接続しようとする相手のコンピューターにＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）という共通のプロトコルを適用して、自由に連結して使用するように構成された開放型ネットワークであって、基本的な文字情報の伝達はもちろんのこと、圧縮技術の発展とともにマルチメディア情報の伝達に利用されるなど、電子郵便、ファイル伝送、ＷＷＷ（Ｗｏｒｌｄ  Ｗｉｄｅ  Ｗｅｂ）などの多様なサービスを利用することができる。
【０００３】
このようなインターネットは、国内を含めて世界的に使用が急激に増加するにしたがい、既存産業の全体にわたって効率性及び生産性向上のための戦略的な道具として重要性が急速に高まっており、インターネットを通じる新しいビジネスの機会が持続的に創出されることはもちろん、その領域も拡張している趨勢にあるので、インターネットを利用した事業者なども徐々に増加している。
【０００４】
すなわち、インターネットを通じるビジネスの一環で、インターネット広告、インターネット放送、オンラインゲーム、インターネット新聞／雑誌、検索サービス、ポータルサービス、電子商取引などの多様なコンテンツを提供するサイトが急速に増加しているものである。
【０００５】
このようなインターネットの爆発的な増加の趨勢につれて、情報技術に係わる各種ソリューションを開発する事業者及びプログラム開発者の数も急増しており、技術人力を保有しなかった事業者や個人を対象として各種情報技術ソリューションを製作するとか、あるいは該当のソリューションを開発することができる開発者と連結させてくれるサイトも産み出されている。
【０００６】
しかし、前述したような各種情報技術ソリューションを製作するとか開発人力を連結させてくれるサイトの場合、該当のサイトで開発人力の技術水準、期間、契約条件などに対する徹底的な事前検討を行うことができないことが実状であり、開発者が企画から単位プログラムの具現まで全て行わなければならないから、開発に長時間が必要になったのはもちろんのこと、開発者の能力によってソリューションの品質が左右されるから、サービスを要請する事業者や個人が開発人力に対する不信感のため、実質的にサービスが円滑になされることができない実情である。
【０００７】
また、従来のソリューション開発が通常的に細かい単位プログラムではなく大規模プロジェクト単位でなるから、プログラムの開発に長時間が必要になり、これによって余裕時間を活用する開発者の場合、ソリューションの開発に参加することが難しくて実質的に高級人力が浪費される問題点があった。
【０００８】
また、従来には、情報技術ソリューションの開発に必要な全費用を事業者が前もって預置するとか、または契約の際に半分を預置し、製作完了の際に半分を精算する方式を採用するため、ソリューションの開発を依頼した事業者が初期に高費用を負担しなければならなく、ソリューション開発の状況を体系的に確認することが難しくて資金転用及び詐欺などに対する不安感を感じることになる問題点があった。
【０００９】
また、開発人力にとっても、ソリューション開発を依頼した事業者や仲介サービスを提供するサイト側からソリューション開発費用に対する支給保証ができないため、安定感を持って仕事を実行することができない問題点があった。
【００１０】
〔発明の開示〕
〔技術的課題〕
本発明は前述したような問題点を解決するためになされたもので、その目的は開発人力を保有することができなかった事業者と開発技術を保有したアナリスト及び開発者をオンライン上で互いに連結して情報技術に係わる各種ソリューションの開発及び管理を円滑に実行するようにするネットワーク基盤の情報技術ソリューション開発管理システム及びその方法を提供することにある。
【００１１】
本発明の他の目的は、事業者にとっては情報技術ソリューションの開発に必要な人力のサポート及び開発に必要な標準化した手続きの提供とソリューション開発の進行状況をモニタリングすることができるようにし、アナリスト及び開発者にとっては所望時間に所望の事を行うことができるようにするネットワーク基盤の情報技術ソリューション開発管理システム及びその方法を提供することにある。
【００１２】
本発明のさらに他の目的は、事業者が要求する各種情報技術ソリューション開発の際、アナリストがそれぞれの単位プログラム別に細分化して設計するようにし、開発者が単位プログラム別に受注して開発するようにし、運営者サーバー側で各開発者が行った単位プログラムを統合テストして事業者に納品するようにするネットワーク基盤の情報技術ソリューション開発管理システム及びその方法を提供することにある。
【００１３】
本発明のさらに他の目的は、情報技術ソリューション開発を要求する事業者に前もって開発費用をそれぞれの単位プログラムの進行にしたがって順次預置するようにすることで、単位プログラム別に受注する開発者が安心してプログラムを開発するようにし、優れたアナリスト及び開発者を会員として確保して事業者に信頼性を提供するネットワーク基盤の情報技術ソリューション開発管理システム及びその方法を提供することにある。
【００１４】
〔技術的解決手段〕
本発明の一観点によれば、ネットワーク基盤の情報技術ソリューション開発管理システムは、情報技術ソリューション開発のためのプロジェクトの内訳をプロジェクトメントールと相談し、参加可能なアナリスト情報を確認した後、特定のアナリストと契約し、ソリューション開発に必要な各種要求事項をアナリストに提示して企画及び開発を進めるようにし、ソリューション開発完了時まで一定の段階ごとに進行資金の預置を行う事業者コンピューターと；事業者が要請した特定情報技術ソリューションの開発のための企画、要求分析、単位プログラム別発注、納品管理、開発コスト支給依頼、統合テスト、完了報告書及び産出物の納品処理を制御し、事業者コンピューターの要請に応えて現在進行中のソリューション開発状況についての情報を事業者コンピューターに提供するアナリストコンピューターと；アナリストによって企画されたソリューション開発に必要な各種単位プログラム情報を確認した後、所望の単位プログラムの開発に参加し、開発完了した単位プログラムのテスト及び納品を処理する開発者コンピューターと；情報技術ソリューションの企画及び単位プログラム開発を行う多数のアナリスト及び開発者の審査及び会員加入を処理し、前記プロジェクトメントールによって登録されたプロジェクトの内訳に基づいて参加可能なアナリスト情報を抽出して事業者コンピューターに提供し、アナリストコンピューター及び開発者コンピューターと特定情報技術ソリューションの開発のための企画、要求分析、単位プログラム別発注、単位プログラム別テスト及び納品管理、開発コスト支給依頼、統合テスト、完了報告書及び産出物の納品処理のためのデータの入出力を統合管理するサーバーコンピューターと；ソリューション開発進行の一定の段階ごとに事業者から提供される資金を預置し、サーバーコンピューターの要請に応えて事業者が預置した資金をアナリスト及び開発者の口座に支給処理する金融機関コンピューターと；を含む。
【００１５】
本発明の他の観点によれば、ネットワーク基盤の情報技術ソリューション開発管理方法は、サーバーコンピューターでアナリストが提供する履歴及び経歴事項に基づいて経歴審査を行ってアナリスト資格を承認するとともに、開発者の等級テストを行って開発者資格を承認する段階と；サーバーコンピューターで事業者の情報技術ソリューション開発要請に応えてアナリスト情報を事業者コンピューターに提供して契約を実行するようにし、契約を実行した事業者が金融機関に手付け金を預置してアナリストにソリューション開発による要求事項を提供する段階と；サーバーコンピューターを介して事業者からソリューション開発による要求事項を受けたアナリストがソリューション開発のための企画、要求分析及び設計を実行し、サーバーコンピューターでアナリストの設計に従う各単位プログラムの発注を処理する段階と；サーバーコンピューターでそれぞれの単位プログラムを受注した開発者が開発した単位プログラムをテストして納品完了または返却処理を実行し、納品が完了した開発者の口座情報及び支給情報を金融機関コンピューターに提供して開発費用の支給を制御する段階と；サーバーコンピューターでアナリストの詳細設計にしたがって構築されたシステム環境を通じて各開発者が開発したプロジェクト別単位プログラムの統合テストを実行し、統合テストが完了すれば、該当のソリューションの最終納品処理を行う段階と；を含む。
【００１６】
〔発明を実施するための最良の様態〕
以下、添付図面に基づいて本発明のネットワーク基盤の情報技術ソリューション開発管理システム及びその方法を詳細に説明する。
【００１７】
図１は本発明によるネットワーク基盤の情報技術ソリューション開発管理システムの構成を概略的に示すブロック図である。
【００１８】
図示のように、本発明のシステムは、複数の事業者コンピューター１００、複数のアナリストコンピューター２００、複数の開発者コンピューター３００、サーバーコンピューター４００、及び金融機関コンピューター５００を含んで構成される。
【００１９】
複数の事業者コンピューター１００はソリューション開発を依頼する個人や法人で運営するコンピューターシステムであって、情報技術ソリューション開発のために、サーバーコンピューター４００側のプロジェクトメントールと相談を実行する。前記プロジェクトメントールはプロジェクトの相談と進行過程を手伝う人であって、全般的な自問の役目をする。すなわち、プロジェクトメントールは、プロジェクト名、プロジェクト目的、顧客の要求事項、プロジェクト引渡日、プロジェクト予想などを後述のサーバーコンピューター４００のプロジェクト登録手段４１０に登録することで、アナリストがプロジェクトを検索してプロジェクト参加を支援するようにする。情報技術ソリューション開発のためのプロジェクトの内訳が前記プロジェクトメントールによってサーバーコンピューター４００に登録されれば、事業者コンピューター１００は、サーバーコンピューター４００から提供されるすべてのシステムを活用してプロジェクト事業を進めることができる。すなわち、事業者コンピューター１００は、サーバーコンピューター４００から提供される参加可能なアナリスト情報を確認した後、特定のアナリストと契約し、ソリューション開発に必要な各種の要求事項を該当のアナリストに提示して企画及び開発を進めるようにし、アナリストの詳細な設計によってソリューション開発完了時まで一定の段階ごとに進行資金の預置を実行する。
【００２０】
複数のアナリストコンピューター２００は情報技術分野の分析家であって、サーバーコンピューター４００側の経歴審査を経って、プロジェクトの企画、要求分析及び設計を行うアナリストとして選定される。選定されたアナリストは、サーバーコンピューター４００に接続し、事業者が参加を依頼したプロジェクトを検索して現在進行中の日程を確認してプロジェクトの内容を検討して受諾可否を決める。そして、アナリストは、顧客の要求事項を分析、設計して、プログラムリスト及び作業指示書、開発標準定義書、単位テストシナリオなど、プログラムの具現に必要な文書と発注予定日時を後述するサーバーコンピューター４００の発注予定リストに予約登録する。このように、アナリストは、ソリューション開発進行による報酬支給の保障を受け、自由に自分の時間と適性に合うプロジェクトを選択して完成し、現在進行中のソリューション開発の進行状況情報を一定の周期ごとにサーバーコンピューター４００を介して事業者コンピューター１００に提供する。
【００２１】
アナリストコンピューター２００は、事業者が要請した特定情報技術ソリューションの開発のための企画、要求分析、単位プログラム別発注、納品管理、開発コスト支給依頼、統合テスト、完了報告書及び産出物の納品処理を制御する。そして、ソリューション開発進行の際、事業者コンピューター１００の要請に応えて、現在進行中のソリューション開発状況についての情報を事業者コンピューター１００に提供する。
【００２２】
複数の開発者コンピューター３００はサーバーコンピューター４００側のテストを経って評価等級を受けて開発者として選定され、開発者は発注掲示板を介して発注予定リストを問い合わせ、該当のプログラムが発注される時点でサーバーコンピューター４００に接続し、発注されたプログラムリストでプログラムを選択して受注する。また、サーバーコンピューター４００でアナリストによって企画されたソリューション開発に必要な各種の単位プログラム情報を確認した後、所望の単位プログラムの受注及び開発に参加し、開発完了した単位プログラムのテスト及び納品を処理する。
【００２３】
開発者は現在の職場形式を脱皮して自由に働いて高所得を創出することができるプログラム専門家であって、自分の実力と専門分野に似合う単位プログラムを受注して所望時間及び所望場所で仕事を実行し、サーバーコンピューター４００側から提供する外部教育などによって技術能力を続けて向上させて開発者の評価等級が上昇すれば、努力した分のだけの高報酬の保障を受けることができる。
【００２４】
サーバーコンピューター４００は、情報技術ソリューションの企画及び単位プログラム開発を行う多数のアナリスト及び開発者の審査及び会員加入を処理し、事業者との相談の後、前記プロジェクトメントールが登録したプロジェクトの内訳に基づいて参加可能なアナリスト情報を抽出して事業者コンピューター１００に提供し、アナリストコンピューター２００及び開発者コンピューター３００と特定情報技術ソリューションの開発のための企画、要求分析、単位プログラム別発注、単位プログラム別テスト及び納品管理、開発コスト支給依頼、統合テスト、完了報告書及び産出物の納品処理のためのデータの入出力を統合管理する。
【００２５】
また、サーバーコンピューター４００は、会員加入の承認されたアナリスト及び開発者に等級を付与し、アナリストの特定ソリューション開発の企画及び管理による結果と、開発者の単位プログラム開発実行による結果とを評価して等級調整を実行することができる。
【００２６】
また、サーバーコンピューター４００は、事業者コンピューター１００から現在進行中のソリューション開発に対する各種の質問事項が要請されれば、当該質問事項に対する答弁データをアナリストコンピューター２００または指定の答弁者から提供されて事業者コンピューター１００に提供することができる。
【００２７】
金融機関コンピューター５００は、ソリューション開発進行の一定の段階ごとに事業者から提供される資金を預置し、サーバーコンピューター４００の要請に応じて事業者が預置した資金をアナリスト及び開発者の口座に支給処理する。
【００２８】
図２は前述した図１のサーバーコンピューター４００の構成をより詳細に示すブロック図である。
【００２９】
図示のように、サーバーコンピューター４００は、プロジェクト登録手段４１０、プロジェクト管理手段４２０、発注管理手段４３０、納品管理手段４４０、資金管理手段４５０、会員管理手段４６０、及び制御手段４７０を含んで構成される。
【００３０】
プロジェクト登録手段４１０は、事業者との相談によって決定される情報技術ソリューション開発のためのプロジェクトの内訳を掲示板に登録し、アナリスト及び開発者が確認するようにし、前記プロジェクトメントールが登録したプロジェクトの内訳による企画、要求分析及び設計を実行することができるアナリストに参加意思を確認した後、参加意思を明かしたアナリストの情報を事業者コンピューター１００に提供することで、事業者がプロジェクトの進行に最も適切なアナリストと契約を行うようにする。また、事業者がプロジェクトを実行することができるアナリストの情報を直接確認した後、特定のアナリストと契約することもできる。
【００３１】
プロジェクト管理手段４２０は、事業者と契約を行った特定のアナリストがソリューション開発のための企画、要求分析及び設計を実行するために必要な書式及びシステム環境を支援する。
【００３２】
すなわち、プロジェクト管理手段４２０は、アナリストがソリューション開発を実行するために、全体プロジェクトに対する基本フレーム（例えば、日程、仕事の範囲、人員構成、プロジェクト広報、開発計画、テスト、日程、モニタリング及び統制に対する諸般の計画）を構成し、事業者にプロジェクト日程及び開発費用に対する進行事項と成果の報告を行い、日程遅延及び費用超過予測情報を提供し、プロジェクト進行を円滑にする企画業務を実行するようにするものである。
【００３３】
そして、プロジェクト管理手段４２０は、アナリストのプロジェクト企画にしたがってプログラムの詳細設計書を作成し、プログラム等級及び単価を算定することにより、プロジェクトの総開発コスト情報（プログラム等級、プログラム数、ハードウェア装備など）を資金管理手段４５０に提供し、詳細に作成された作業指示書（単位プログラム別詳細設計書、画面構成、テスト方法などを含む）を発注管理手段４３０に提供し、プロジェクトの全体統合テストに対するシナリオの作成、プロジェクトで共通に適用されるプログラムに対するコーディング規則、開発に必要なシステム環境、画面デザインに対する規則など、プログラム開発に対する詳細情報を含む例示プログラムを作成して開発者の基準モデルになるようにし、プロジェクト全体に対する使用者マニュアル、運営者マニュアル、プロジェクト全体をテストすることができるシステム環境を構築するのに必要な事項を支援する。
【００３４】
発注管理手段４３０は、プロジェクト管理手段４２０によって作られた詳細設計によって優先順位を決め、段階別に単位プログラムを作業指示書とともに発注掲示板上に掲示することで、開発者がプログラムを選択するようにする。すなわち、発注管理手段４３０は、発注予定リストから、プログラムが発注される時点と発注されるプログラムの類型別、等級別数量を前記発注掲示板を介して開発者に予め知らせることにより、前記開発者がプログラム発注に即刻参加できるようにする。発注管理手段４３０は、プログラムを自動で発注するとともに電子メール、文字メッセージなどの発送を要請した開発者に電子メールや文字メッセージなどを発送することで、プログラムが発注されたことを知らせる。
【００３５】
また、発注管理手段４３０は、前記発注予定リストのなかで、予定日が到来したプログラムリストを抜粹し、プログラムのそれぞれを前記発注掲示板上に自動で一括掲示することにより、開発者がサーバーコンピューター４００に接続してプログラムを受注するようにする。発注管理手段４３０は、コールセンター運営または例示プログラムなどを提供し、単位プログラムを受注した開発者の各種の質問事項及び改善方案に対する処理を実時間で実行する。そして、発注管理手段４３０は、開発者が日程を守ることができない場合、電子メールや文字メッセージなどによって速かに処理して、発注から納品までの過程を順調に制御し、受注した単位プログラムが返却される場合、該当の開発者の懲戒処理を実行する。
【００３６】
この際、発注管理手段４３０を通じて発注されるそれぞれの単位プログラムは、プログラム作成に必要なコーディング規則、システム環境、画面デザインなどの基本情報が一緒に提供され、難易度及び種類によって単価が差別的に適用されて発注される。
【００３７】
納品管理手段４４０は、単位プログラムを受注した開発者がソースをテストすることができる環境を提供し、テストを完了した開発者のプログラム納品依頼によって該当の単位プログラムをテスト（プログラムソースコード確認、実行テストなど）して納品完了または返却処理を行い、プロジェクト管理手段４２０によって作られた詳細設計によって構築されたシステム環境を通じてプロジェクト別で統合テストを行ってプロジェクトの最終納品処理を処理する。
【００３８】
この際、納品管理手段４４０においては、プロジェクト日程に合う周期的な管理のために、開発者が納品した単位プログラムに問題が発生して一定回数以上超えて反却されれば、該当の開発者の等級を下向きに調整する懲戒処理を実行することで、プロジェクト進行に差し支えがないようにしなければならない。
【００３９】
資金管理手段４５０は、プロジェクト管理手段４２０によって作られた詳細設計にしたたって一定の段階別に事業者が開発費用を金融機関に預置し、開発コストの透明性と資金の流動性を確保するように処理し、納品管理手段４４０によって、各開発者の単位プログラム納品が終了すれば、それぞれのアナリスト及び開発者の口座情報及び支給情報を金融機関コンピューター５００に提供して開発費用の支給を処理する。そして、事業者が自分が依頼したプロジェクトの段階別執行内訳を照会して資金使用の疑問点を解消して、プロジェクトの進行を調律するようにし、アナリスト及び開発者が現在まで働いて来た開発内訳とともに自分の報酬内訳を照会してプログラム受注などの参照資料として活用するようにし、サーバー側のコンサルティング収益、手数料などの一日決算、月末決算などの決算業務処理を実行する。
【００４０】
会員管理手段４６０は、アナリスト及び開発者の会員加入申し込みに応じて、実名確認及び加入同意、経歴審査、面談、テストなどによってそれぞれのアナリスト及び開発者の基本情報、プロジェクト実行履歴情報、等級情報をそれぞれのアナリスト及び開発者の業務及び技術別に区分して管理し、納品管理手段４４０によるプロジェクト実行結果による評価データを開発者の等級に反映する。そして、各グループの特性をいかして資料を共有することができるカフェー、同好会の運営のためのオンライン上の空間を提供して構成員の質を向上させるようにする。
【００４１】
制御手段４７０は、インターネットなどのネットワーク通信網を通じる事業者コンピューター１００、アナリストコンピューター２００、開発者コンピューター３００及び金融機関コンピューター５００とサーバーコンピューター４００との間の通信接続とプロジェクト開発に係わる各種のデータの入出力処理を制御する。
【００４２】
つぎに、このように構成された本発明によるネットワーク基盤の情報技術ソリューション開発管理方法の一実施例を図３〜図８に基づいて詳細に説明する。
【００４３】
図３〜図８は本発明によるネットワーク基盤の情報技術ソリューション開発管理方法の動作過程を詳細に示すフローチャートである。
【００４４】
まず、サーバーコンピューター４００は、アナリストが提供する履歴及び経歴事項に基づいて経歴審査を行ってアナリスト資格を承認するとともに、開発者の等級テストを行って開発者資格を承認する（Ｓ１００）。
【００４５】
これについて、図４を参照して詳細に説明すれば、サーバーコンピューター４００は、通信接続を実行したアナリストコンピューター２００または開発者コンピューター３００から会員登録が要請されるかを確認し（Ｓ１０５）、アナリスト登録であるか、それとも開発者登録であるかを判断する（Ｓ１１０）。すなわち、サーバーコンピューター４００は、実名確認及び会員規定に同意したアナリストまたは開発者から会員登録要請があるかを判断するものである。
【００４６】
判断結果、アナリスト登録が要請されれば、サーバーコンピューター４００は、該当のアナリストコンピューター２００に履歴情報と経歴情報の入力を要請し（Ｓ１１５）、アナリストコンピューター２００から入力される履歴情報と経歴情報に基づいて簡単なテストとともにアナリストの適合性に対する経歴審査を実行する（Ｓ１２０）。
【００４７】
経歴審査の実行によってアナリストとして承認された該当のアナリストコンピューター２００にアナリスト承認通報を実行し（例えば、電子メールまたは文字メッセージで通報）（Ｓ１２５）、承認されたアナリスト情報を会員管理手段４６０に登録し、事業者が要請するプロジェクトに参加することができる機会を付与する（Ｓ１３０）。
【００４８】
前述したＳ１１０段階の判断結果、開発者登録が要請されれば、サーバーコンピューター４００は、該当の開発者コンピューター３００に自分の開発環境入力を要請し（Ｓ１３５）、開発環境を入力した開発者の等級設定のためのテストを実行する（Ｓ１４０）。この際、等級判定のためのテストは、言語別、運営体制別、デザインなどの自分の分野を選択してテストを受けることになり、オンライン上では基礎水準のレベルを付与し、より高い等級を受けるためには、オフライン上で等級評価を実行するようにし、サーバーコンピューター４００の運営者側で開発者に教育を履修することができる機会を付与する。
【００４９】
サーバーコンピューター４００は、面接、テスト判定結果、教育履修などに基づいて開発者の等級を設定した後（Ｓ１４５）、等級が設定された開発者情報を会員管理手段４６０に登録し、各単位プログラムの受注及び開発に参加することができる機会を付与する（Ｓ１５０）。
【００５０】
そして、前述したＳ１００段階でアナリスト及び開発者を会員として保有したサーバーコンピューター４００は、事業者の情報技術ソリューション開発要請に応じてアナリスト情報を事業者コンピューター１００に提供して、特定のアナリストと契約を実行するようにし、契約を実行した事業者が金融機関に手付け金を預置し、アナリストにソリューション開発による要求事項を提供する（Ｓ２００）。
【００５１】
これについて図５を参照して詳細に説明すれば、サーバーコンピューター４００は、前記プロジェクトメントールによって、情報技術ソリューション開発計画を持った事業者と相談を行って事業者の状態によって進入時点を決め、事業者に必要な事項が何であるかをチェックして、事業者がプロジェクトの完了時まで順調な進行になるようにし（Ｓ２０５）、相談を実行した該当の事業者が要請するプロジェクトの内訳をプロジェクト管理手段４２０に登録する（Ｓ２１０）。
【００５２】
その後、サーバーコンピューター４００において、事業者コンピューター１００から企画、設計に必要なアナリストが要請されるかを判断し（Ｓ２１５）、アナリストが要請されれば、会員管理手段４６０に登録されているそれぞれのアナリストに参加意思を打診した後（Ｓ２２０）、参加意思を明かしたアナリストの情報を事業者コンピューター１００に提供する（Ｓ２２５）。
【００５３】
サーバーコンピューター４００から提供されたアナリスト情報を確認した事業者は、自分のプロジェクトに適すると判断される特定のアナリストと報酬、日程などを含むプロジェクトの実行に必要な内容に対する契約を実行した後（この際、サーバーコンピューター４００側では所定の手数料契約を締結する）（Ｓ２３０）、該当のアナリストにソリューション開発による要求事項を伝達し、進行段階別に仕事の開始前に手付け金を金融機関に預置する（Ｓ２３５）。
【００５４】
その後、事業者は、アナリストの詳細設計によるソリューション開発に対する進行状況と成果報告（すなわち、日程遅延、費用超過、品質低下などの内容）をアナリストから受け、アナリストの要請に応じて開発費用を該当のソリューション開発完了時まで一定の段階ごとに分散して金融機関に預置すれば良い。
【００５５】
事業者が進行段階別に預置する金額は各段階別所要費用より低ければ次の段階の仕事を進めることができないので、アナリストは、企画や設計の際に予想費用が変更されれば、直ちに事業者にこれを知らせ、次の段階の予想開発資金と事業者の預置金残高を確認し、預置金残高が予想費用より少ない場合には、事業者に予め知らせる。
【００５６】
前述した段階Ｓ２００で事業者からソリューション開発による要求事項を受けたアナリストは、ソリューション開発のための企画、要求分析及び設計を実行し、サーバーコンピューター４００は、アナリストの設計による各単位プログラムの発注を処理する（Ｓ３００）。
【００５７】
これについて図６を参照して詳細に説明すれば、事業者と契約を実行したアナリストは、サーバーコンピューター４００側で提示する標準手続きと規定を守り指針書にしたがって業務を実行するようになる。アナリストは、まずサーバーコンピューター４００に登録された事業者のソリューション開発による要求事項を分析し（Ｓ３０５）、分析された要求事項に基づいて段階別プロジェクトを企画してプロジェクト全般に対する日程計画を立て、仕事の範囲を決めてＷＢＳ（Ｗｏｒｋ Ｂｒｅａｋｄｏｗｎ Ｓｔｒｕｃｔｕｒｅ）を作成し、オンライン及びテスト環境構築のための装備の調逹計画を設定する（Ｓ３１０）。そして、アナリストはプロジェクト全般の危険要素に対するモニタリング計画も一緒に樹立する。
【００５８】
プロジェクト企画を実行したアナリストは、要求分析及び設計のために、開発者がプログラム開発に共通に適用される規則と例示プログラムを作成した後、単位プログラム別に日程計画を樹立し、作業指示書（詳細設計書、画面構成、テスト方法など）を作成し、単位プログラム別等級と単価を算定する（Ｓ３１５）。
【００５９】
そして、単位プログラム別等級と単価算定に基づいて、全体開発費用とハードウェア装備などのプロジェクト開発に必要な総開発コストを算定し、プロジェクト全体に対する運営マニュアルを作り、プロジェクト全体をテストすることができるシステム環境の構築及び統合テストのための統合シナリオを作成する（Ｓ３２０）。
【００６０】
アナリストの企画、要求分析及び設計にしたがい、サーバーコンピューター４００は、それぞれの単位プログラムを作業指示書とともに登録（例えば、発注管理手段４３０を通じて掲示板上に登録）して発注処理する（Ｓ３２５）。この際、発注されるそれぞれの単位プログラムは、プログラム作成に必要なコーディング規則、システム環境、画面デザインなどの基本情報が一緒に提供され、難易度と種類によって単価が差別的に適用される。
【００６１】
前述したＳ３００段階でアナリストの企画、要求分析及び設計にしたがって単位プログラムの発注が始まれば、サーバーコンピューター４００は、それぞれの単位プログラムを受注した開発者が開発した単位プログラムをテストして納品完了または返却処理を実行し、納品の完了された開発者の口座情報及び支給情報を金融機関コンピューター５００に提供して開発費用の支給を制御する（Ｓ４００）。
【００６２】
これについて図７を参照して詳細に説明すれば、開発者は、サーバーコンピューター４００に登録されているそれぞれの単位プログラムのリストを確認し、自分が開発しようとする単位プログラムが発注されたかを確認する（Ｓ４０５）。この際、開発者は、サーバーコンピューター４００側からプログラム開発を実行した経験があれば、自分が開発した内訳と報酬内訳などを随時照会することができる。
【００６３】
サーバーコンピューター４００は、単位プログラムのリストを確認した開発者から特定単位プログラムの受注が申し込まれるかを判断し（Ｓ４１０）、開発者が特定単位プログラムの受注を申し込めば、該当の開発者が選択した単位プログラム情報を提供して開発するようにする（Ｓ４１５）。この際、開発者は、自分が望む楽な場所で自分のコンピューターで単位プログラムの作業指示書、共通規則、例示プログラムを参照して該当のプログラムの開発を実行する。
【００６４】
一方、単位プログラムを受注して開発する開発者の各種の質問事項が要請されれば、サーバーコンピューター４００では、該当の質問事項に対する答弁データをアナリストコンピューター２００または指定の答弁者から受けて該当の開発者コンピューター３００に提供する。
【００６５】
受注した単位プログラムの開発を完了すれば、開発者は、サーバーコンピューター４００に構築されたテスト環境に接続し、該当のプログラムのコンパイルを介してテストを実行する（Ｓ４２０）。すなわち、自分が開発した単位プログラムが正常にコーディングされたかに対するテストを依頼するものである。
【００６６】
その後、サーバーコンピューター４００では、開発者コンピューター３００から単位プログラムの納品申し込みが実行されるかを判断し（Ｓ４２５）、納品申し込みが実行されれば、納品された単位プログラムのソースコード点検及び実行テストを実行する（Ｓ４３０）。
【００６７】
サーバーコンピューター４００では、開発者が納品する単位プログラムの実行テストによって納品完了または返却処理を判断し（Ｓ４３５）、納品された単位プログラムのテスト結果、納品完了が承認されれば、該当の開発者の口座情報及び支給情報を金融機関コンピューター５００に提供する（Ｓ４４０）。この際、サーバーコンピューター４００では、該当の開発者に納品完了承認結果を知らせる。
【００６８】
すると、金融機関コンピューター５００では、サーバーコンピューター４００から入力される開発者の口座情報及び支給情報に基づいて開発費用の支給を処理し（Ｓ４４５）、支給内訳をサーバーコンピューター４００に提供する（Ｓ４５０）。
【００６９】
しかし、Ｓ４３５段階の判断結果、納品された単位プログラムのテスト結果で問題が発生して納品完了が承認されなければ、サーバーコンピューター４００では、開発者コンピューター３００に返却処理して修正を要請する（Ｓ４５５）。この際、開発者が納品した単位プログラムが一定回数を超過して反却されれば、サーバーコンピューター４００では該当の開発者の等級を下向きに調整することができる。
【００７０】
前述したＳ４００段階で開発者の単位プログラム開発と費用支給を処理した後、サーバーコンピューター４００では、アナリストの詳細設計によって構築されたシステム環境によって各開発者が開発したプロジェクト別単位プログラムの統合テストを実行し、統合テストが完了すれば、該当のソリューションを事業者に最終納品してプロジェクトを終了する（Ｓ５００）。
【００７１】
これについて図８を参照して詳細に説明すれば、サーバーコンピューター４００では、アナリストの詳細設計にしたがって発注された各単位プログラムの開発がすべて終了したかを判断する（Ｓ５０５）。
【００７２】
判断の結果、各単位プログラムの開発がすべて終了すれば、サーバーコンピューター４００では、アナリストの詳細設計にしたがって構築されたシステム環境によって各開発者が開発したプロジェクト別単位プログラムの統合テストを実行する（Ｓ５１０）。
【００７３】
その後、サーバーコンピューター４００では、プロジェクト別統合テストの実行結果、エラーが発生するかまたは設計が変更されたかを判断する（Ｓ５１５）。
【００７４】
判断の結果、エラー発生または設計変更があれば、サーバーコンピューター４００では、アナリストの詳細設計にしたがい、エラーが発生するかまたは設計の変更された単位プログラムの再発注を行う前記Ｓ３２５段階以後を繰り返し行って、プロジェクトを完成する（Ｓ５２０）。
【００７５】
しかし、Ｓ５１５段階の判断結果、エラーの発生または設計変更がなければ、サーバーコンピューター４００では、アナリストにプロジェクト完了報告書を作成するように要請し（Ｓ５２５）、アナリストが作成したプロジェクト完了報告書及び産出物を事業者に導いてプロジェクトを終了する（Ｓ５３０）。この際、終了したプロジェクトについての情報は、事業者との別途の協議によって保存期間を決めることができる。
【００７６】
ここで、前述した本発明を好適な実施例に基づいて説明したが、該当の技術分野の熟練した当業者であれば、特許請求範囲に記載した本発明の思想及び領域から逸脱しない範囲内で本発明を多様に修正及び変更することができることを理解することができるであろう。
【００７７】
〔産業上の利用可能性〕
前述したように、本発明のネットワーク基盤の情報技術ソリューション開発管理システム及びその方法によれば、サーバー運営者側において情報技術ソリューションの企画、設計を行うアナリストと単位プログラムを開発する開発者を確保して、開発人力を保有することができなかった事業者が持ったアイディアを事業化することができるように、企画から開発完了まで安定的なソリューションが開発されるように仲介し、ソリューション開発に対する品質管理体系を提供することにより、ソリューション開発を依頼する事業者が検証された能力のある開発人力と標準化した開発方法及び手続きを通じて低開発費用で短時間に高品質のソリューションを開発することができ、リアルタイムモニタリング機能によって、日程遅延、費用超過などの危険要素の除去、資金執行過程の一目瞭然した確認、次の段階の進行資金を前もって準備することができる効果がある。
【００７８】
また、サーバー運営者側において各単位プログラム開発者が全体ソリューションの内容を把握することができないように安全装置を提供し、ソリューションの開発進行にしたがって段階的に資金を金融機関に預置して執行するので、資金誤用や詐欺などに対する不安感を解消することができ、アナリストは、企画、要求分析、設計、発注管理、納品管理などを実行し、開発者は単位プログラムの開発を行う徹底的な分業によって業務の効率性を極大化させることで、事業者が高品質の情報技術ソリューションの提供を受けることができる効果がある。
【００７９】
また、長時間の夜勤などによって３Ｄ業種に転落した情報技術業界に新職業形態を提供することにより、アナリスト及び開発者は、自分の所望時間と所望場所で働いた分のだけ対価を受けることができる環境（すなわち、在宅勤務が可能な環境）の提供を受けることができるようになり、公正に実力を評価させてもらいながら実力と分野に似合う仕事を持続的に行うことができ、ソリューションの開発進行にしたがって段階的に預置された開発資金によって、事業者の一方的な中断による給与未払いの不安感を無くし、安定感を持って仕事に集中することができるので、仕事に対する能率を大きく向上させることができる効果がある。
【図面の簡単な説明】
【００８０】
【図１】本発明によるネットワーク基盤の情報技術ソリューション開発管理システムの構成を概略的に示すブロック図である。
【図２】図１のサーバーコンピューターの構成を詳細に示すブロック図である。
【図３】本発明によるネットワーク基盤の情報技術ソリューション開発管理方法の動作過程を詳細に示すフローチャートである。
【図４】図３の各ソブルティンの動作過程を詳細に示すフローチャートである。
【図５】図３の各ソブルティンの動作過程を詳細に示すフローチャートである。
【図６】図３の各ソブルティンの動作過程を詳細に示すフローチャートである。
【図７】図３の各ソブルティンの動作過程を詳細に示すフローチャートである。
【図８】図３の各ソブルティンの動作過程を詳細に示すフローチャートである。
【符号の説明】
【００８１】
１００    事業者コンピューター
２００    アナリストコンピューター
３００    開発者コンピューター
４００    サーバーコンピューター
４１０    プロジェクト登録手段
４２０    プロジェクト管理手段
４３０    発注管理手段
４４０    納品管理手段
４５０    資金管理手段
４６０    会員管理手段
４７０    制御手段
５００    金融機関コンピューター
【図１】
2009534736.tif 000003
【図２】
2009534736.tif 000004
【図３】
2009534736.tif 000005
【図４】
2009534736.tif 000006
【図５】
2009534736.tif 000007
【図６】
2009534736.tif 000008
【図７】
2009534736.tif 000009
【図８】
2009534736.tif 000010
【国際調査報告】
2009534736.tif 000011
2009534736.tif 000012